(57)【要約】【課題】  ゲージドア開時におけるラゲージルーム内への水のこぼれ落ちをなくすと共に、ライセンスプレート廻りの見栄えを良好にし意匠制約をなくしたライセンスガーニッシュ構造を提供する。【解決手段】  ライセンスランプを覆う断面がほぼＬ形に屈曲したライセンスガーニッシュ１の下面２の内面両端にライセンスガーニッシュ１内へ入った水をラゲージドアの開時には溜め置く第１の溝８と、ラゲージドアを閉める過程では前記第１の溝８に溜め置かれた水をライセンスガーニッシュの両側端末から外部に排出するための水抜き溝である第２の溝９を設け、前記ライセンスガーニッシュ１の下面側の前端縁４をラゲージドアパネルに密接した。【選択図】        図１
2005067497.tif 000002
【特許請求の範囲】
【請求項１】
車体後部に設けられているライセンスランプを覆う断面視ほぼＬ形に屈曲したライセンスガーニッシュであって、このライセンスガーニッシュ内に入った水をラゲージドアの開時には溜め置く溝と、ラゲージドアを閉める過程で前記溝に溜め置かれた水をライセンスガーニッシュの両側端末から外部に排出するための水抜き溝とを設け、前記ライセンスガーニッシュの下面側の前端縁をラゲージドアパネルに密接したことを特徴とするライセンスガーニッシュ構造。
【請求項２】
ライセンスガーニッシュ内に入った水をラゲージドアの開時に溜め置く溝形状はラゲージドアが閉まった状態のライセンスガーニッシュにおいて、ライセンスガーニッシュの下面側の前端縁から車両後方に向かって下降傾斜した第１の溝を設け、ラゲージドアを閉める過程で前記第１の溝に溜め置かれた水をライセンスガーニッシュの両側端末から外部に排出するための水抜き溝は前記第１の溝と連続してライセンスガーニッシュの長手方向の端末に向かって傾斜した第２の溝を設けたことを特徴とする請求項１に記載のライセンスガーニッシュ構造。
【発明の詳細な説明】
【技術分野】
【０００１】
本発明は、車両の車体後部に設けられているライセンスランプを覆うライセンスガーニッシュ構造に関するものである。
【背景技術】
【０００２】
図９で示す車両のラゲージドア６０は図８で詳細を示すように、ライセンスプレート７を照明するためのライセンスランプ６が設けられており、これを覆うライセンスガーニッシュ１０がラゲージドアパネル５に取りつけられている。このライセンスガーニッシュ１０は断面ほぼＬ形に屈曲した合成樹脂製である。
【０００３】
このライセンスガーニッシュ１０には前記ライセンスランプ６の直下の下面２０にライセンスランプ６の光を貫通して前記ライセンスプレート７に照射するための開口穴３０を有している。この開口穴３０から洗車水等がライセンスガーニッシュ１０内に侵入して中に水が溜まる。これをライセンスガーニッシュ１０の外部に排出するためにライセンスガーニッシュ１０の下面２０の端縁４とラゲージドアパネル５との間に水抜き隙間４０を形成している。
【０００４】
しかしながら、ラゲージドア６０の閉時ではライセンスガーニッシュ１０内に侵入した水を水抜き隙間４０から排水するが、ラゲージドア６０の開時にはライセンスガーニッシュ１０内に溜まっていた水及びライセンスガーニッシュ１０の端縁４に付着する雨水等がオープン時の振動で水抜き隙間４０から出てラゲージルーム内へこぼれ落ちて荷物等を濡らしてしまう不具合があった。
【０００５】
また、水抜き隙間４０に表面張力で水が溜まらないよう水抜き隙間４０を拡げたり、ライセンスガーニッシュ１０の下面２０を端縁４に向けて下向きの傾斜角度を大きくするとライセンスガーニッシュ１０の開口部３０や隙間４０が大きくなり見栄え不良及び意匠制約が大きくなるという問題を有していた。
【特許文献１】特開平９−１３６５７２号公報
【特許文献１】特開２００１−１８０３７１号公報
【発明の開示】
【発明が解決しようとする課題】
【０００６】
本発明は、ラゲージドア開時におけるラゲージルーム内への水のこぼれ落ちをなくすと共に、ライセンスガーニッシュラゲージ廻りの見栄えを良好にし意匠制約をなくしたライセンスガーニッシュ構造を提供することである。
【課題を解決するための手段】
【０００７】
上記の目的を達成するための本発明は、請求項１に記載の通り、車体後部に設けられているライセンスランプを覆う断面視ほぼＬ形に屈曲したライセンスガーニッシュであって、このライセンスガーニッシュ内に入った水をラゲージドアの開時には溜め置く溝と、ラゲージドアを閉める過程で前記溝に溜め置かれた水をライセンスガーニッシュの両側端末から外部に排出するための水抜き溝とを設け、前記ライセンスガーニッシュの下面側の前端縁をラゲージドアパネルに密接したことを特徴とするするものである。
【０００８】
請求項２に記載の通り、前記ライセンスガーニッシュ内に入った水をラゲージドアの開時に溜め置く溝形状はラゲージドアが閉まった状態のライセンスガーニッシュにおいて、ライセンスガーニッシュの下面側の前端縁から車両後方に向かって下降傾斜した第１の溝を設け、ラゲージドアを閉める過程で前記第１の溝に溜め置かれた水をライセンスガーニッシュの両側端末から外部に排出するための水抜き溝は前記第１の溝と連続してライセンスガーニッシュの長手方向の端末に向かって傾斜した第２の溝を設けたことを特徴とするものである。
【発明の効果】
【０００９】
本発明によると、ラゲージドア開時にライセンスガーニッシュ内に侵入した水はライセンスガーニッシュの下面側の内面両端に設けた溝に溜め置かれ、ラゲージドアを閉める過程でライセンスガーニッシュの両側端末から外部に排出するためラゲージルーム内への水の垂れ落ちることがなくなる。また、ライセンスガーニッシュの下面側の前端縁はラゲージドアパネルに密接され隙間がなくなり見栄えを良くすると共に、意匠上の制約がなくなりライセンスランプの光を貫通してライセンスプレートに照射するための開口穴自体を小さくすることやライセンスプレートの取り付け位置を上方に設定可能とすることができる利点を有している。
【発明を実施するための最良の形態】
【００１０】
以下本発明を実施するための最良の形態を図面に基づいて説明する。図１において、１は断面がほぼＬ形に屈曲した形状のライセンスガーニッシュである。また、下面２及び前端縁４はラゲージドア閉時において、背面視では中央部から両端部外側へ向けてラウンドし下がっていると共に、平面視では中央部から両端部外側に向けて車両前方へラウンドしてラゲージドアパネル５に装着されている。このライセンスガーニッシュ１の下面２のライセンスランプ６の直下にはライセンスランプ６の光を貫通して前記ライセンスプレート７に照射するための開口穴３が開設されている。
【００１１】
本発明は上記のようなライセンスガーニッシュ１において、ライセンスガーニッシュ１の下面２の両端に入った水をラゲージドア６０の開時には溜め置く溝と、ラゲージドア１０を閉める過程で前記溝に溜め置かれた水をライセンスガーニッシュ１の両側端末から外部に排出するための水抜き溝を設け、前記ライセンスガーニッシュ１の下面２側の前端縁４をラゲージドアパネル５に密接した構造を特徴とするものである。
【００１２】
上記の具体的な構造は、図１〜図７で示す。ライセンスガーニッシュ１の下面２の両端に図２で示すように、ライセンスガーニッシュ１内に入った水をラゲージドア６０の開時には溜め置く溝形状は、ラゲージドア６０が閉まった状態のライセンスガーニッシュ１において、ライセンスガーニッシュ１の下面側の前端縁４から車両後方に向かって下降傾斜した第１の溝８を設け、ラゲージドア６０を閉める過程で前記第１の溝８に溜め置かれた水をライセンスガーニッシュ１の両側端末から外部に排出するための水抜き溝は、前記第１の溝８と連続してライセンスガーニッシュ１の長手方向の端末に向かって傾斜した第２の溝９を設けた構造である。
【００１３】
本発明は上記の通りの構造であるから、先ず、ライセンスガーニッシュ１の下面側の前端縁４をラゲージドアパネル５に密接して隙間をなくしているため、ライセンスガーニッシュ１内への水の侵入は少なくなる。しかしながら、ライセンスランプ６の光を貫通してライセンスプレート７  に照射するための開口穴３からライセンスガーニッシュ１内へ水は侵入するが、このライセンスガーニッシュ１内へ入った水はラゲージドア６０の開時には、ライセンスガーニッシュ１内から外部に漏れ出ることがなく、図７で示すラゲージドア６０の全開状態の時にはライセンスガーニッシュ１の両端が下がった状態になるため、ライセンスガーニッシュ１内の水がラゲージドア６０側に集まり、かつライセンスガーニッシュ１の両端の第１の溝８に溜め置かれる。従って、ラゲージドア６０の開時におけるラゲージルーム内への水の垂れ落ちることがなくなる。
【００１４】
前記ラゲージドア６０の開時にライセンスガーニッシュ１の両端の第１の溝８に溜め置かれた水は、ラゲージドア６０を閉める過程でライセンスガーニッシュ１の長手方向の端末に向かって傾斜した第２の溝９からラゲージルーム内へ水が垂れ落ちることなく側方に抜けていくのである。
【００１５】
本発明では従来のライセンスガーニッシュのように、ライセンスガーニッシュの下面を水抜き用とする傾斜が不要となる。ライセンスランプ６の光を貫通してライセンスプレート７に照射するための開口穴３が後方から見えることもなくなり見栄えが良くなる。また、ガーニッシュ下面を上側に向けランプに近づけたことにより、この開口穴３自体も小さくすることができる。
【００１６】
さらには、前記ライセンスガーニッシュの下面を水抜き用とする傾斜が不要となり、ライセンスガーニッシュ１の下面２を上側に向けた形態とすることができるため、ライセンスプレート７の取り付け位置を上方に設定可能とすることができる等の意匠上の制約がなくなる。
【産業上の利用可能性】
【００１７】
尚、本発明は、ワンボックスカーやツーボックスカーの後部ドアのライセンスガーニッシュにも適用することができる。
【図面の簡単な説明】
【００１８】
【図１】本発明のライセンスガーニッシュの一端部を示す斜視図
【図２】図１のＡ部詳細図
【図３】本発明のライセンスガーニッシュのラゲージドアドアを閉じた状態の断面図
【図４】図６のＤ矢視図
【図５】図４のＢ−Ｂ線断面図
【図６】図４のＣ−Ｃ線断面図
【図７】本発明のライセンスガーニッシュを装着したラゲージドアの全開状態の断面図
【図８】従来のライセンスガーニッシュを示す断面図
【図９】従来のライセンスガーニッシュ装着した車両を示す図
【符号の説明】
【００１９】
１      ライセンスガーニッシュ
２      下面
３      開口穴
４      下面側の前端縁
５      ラゲージドアパネル
６      ライセンスランプ
７      ライセンスプレート
８      第１の溝
９      第２の溝
６０      ラゲージドア
【図１】
2005067497.tif 000003
【図２】
2005067497.tif 000004
【図３】
2005067497.tif 000005
【図４】
2005067497.tif 000006
【図５】
2005067497.tif 000007
【図６】
2005067497.tif 000008
【図７】
2005067497.tif 000009
【図８】
2005067497.tif 000010
【図９】
2005067497.tif 000011